Podtech/llm-jp-corpus-v4-ja_patent huggingface dataset:
(57)【要約】【課題】一定の大きさを有するアンテナと、商品の説明や広告に必要な場所とを両立する無線タグシートを提供する。【解決手段】シート状の本体（１００）と、該本体に搭載される無線タグ（１）と、前記本体に導電層で形成される前記無線タグに対するアンテナ（５）とを有し、該アンテナのパターンが前記シートに印刷されるデザインの少なくとも一部を構成する。【選択図】      図１
2005018124.tif 000002
【特許請求の範囲】
【請求項１】
シート状の本体と、該本体に搭載される無線タグと、前記本体に導電層で形成される前記無線タグに対するアンテナとを有し、該アンテナのパターンが前記シートに印刷されるデザインの少なくとも一部を構成することを特徴とする無線タグシート。
【請求項２】
前記導電層が導電性インクである請求項１記載の無線タグシート。
【請求項３】
前記アンテナが前記シートの周囲にループ状にもうけられる、請求項１記載の無線タグシート。
【請求項４】
前記アンテナがシートに印刷されるロゴのデザインと一体化している請求項１記載の無線タグシート。
【請求項５】
前記シートが商品に添付されるラベルを兼ねる請求項１記載の無線タグシート。
【発明の詳細な説明】
【０００１】
【発明の属する技術分野】
本発明は、ＩＤ情報を埋め込んだ小型のチップを物に添付し、該チップと電気的に接続されたアンテナに対し外部からあるいは内部からエネルギーを与え、該チップのＩＤ情報をアンテナを通じて外部に発信する所謂無線タグに関するものであり、この無線タグを利用して流通の管理、物の管理などを飛躍的に効率化することに寄与するものである。
【０００２】
【従来の技術】
無線タグは商品に添付されるが、アンテナに使用される周波数が数ＭＨｚから数ＧＨｚ程度であるため、アンテナの大きさは数ｃｍ程度になる。チップ自体は１ｍｍ角以下の小型化が可能であるが、アンテナが大きいため実用に当たっては、例えば飲料用のボトルのラベルなどにおいては大きな面積をアンテナに割く必要があり、そのため商品説明部の面積が犠牲になる可能があった。
【０００３】
アンテナは銅箔などで作られほか、最近では導電性インクを用いて必要な形状を印刷技術で作成することが可能となっている。しかし、アンテナの大きさは感度と大きな関係があり、むやみに小さくはできない。印刷技術を用いてアンテナを形成することを考えると、例えば飲料用のボトルのラベルの面積の中の相当部分をアンテナが占めるということになる。これは現在のバーコードが抱えている問題と同じである。
【０００４】
【非特許文献１】
エコノミスト、毎日新聞社、２００３  ４／２９・５／６  合併号  Ｐ．１２３〜Ｐ．１２５
【０００５】
【発明が解決しようとする課題】
本発明は、これらの問題を解決するもので、その目的は、効率的な一定の大きさを有するアンテナと商品の説明や広告に必要な場所を両立する無線タグシートを提供することにある。
【０００６】
【課題を解決するための手段】
上記目的を達成するための本発明の特徴は、シート状の本体と、該本体に搭載される無線タグと、前記本体に導電層で形成される前記無線タグに対するアンテナとを有し、該アンテナのパターンが前記シートに印刷されるデザインの少なくとも一部を構成する無線タグシートにある。
【０００７】
本発明においては、導電性インクなどを用いて、ラベルあるいは無線タグが配される印刷物の中に一体となったデザインでアンテナを配し、限られた面積の有効利用を図るとともに最大限のアンテナの効率性を引き出すことができる。
【０００８】
アンテナはループを形成することによりループをよぎる電磁波の変化がファラデーの法則により電流の変化となって起こり、アンテナに接続されたコンデンサーとの間で共振する周波数に対応した信号を捕らえることができる。無線タグではもっぱらこのループアンテナを用いる。
【０００９】
一方無線タグを添付する場所には、ラベルなどで商品の広告あるいは説明書などが記載されている。ここには様々なデザインが用いられる。そのデザインと一体となったアンテナが形成されることにより最大限の効率が得られるのである、なぜならアンテナの効率はループで閉じる面積とコイルの巻き数に比例するからである。
【００１０】
【発明の実施の形態】
図１は本発明に関係する無線タグシステムの基本的な構成である。商品（図には記していない）に添付されたラベル１００に商品説明部分３と無線タグ１が配され、外部のリーダー２と無線１０を通じて送受信している。ここで無線タグ１は図２に示す通り、チップ部４とアンテナ部５とから構成される。
【００１１】
図３は本発明を用いたアンテナ形成法の例である。ラベル１００に導電性インクを用いてアンテナ部５が形成され、あたかもそれが商品説明部３の枠としてデザインされている。従ってデザインにより最大限のアンテナ部面積を確保しながらラベルのデザインとして犠牲にしていることが起こらない。
【００１２】
図４は本発明の実施例の他の場合である。ここではアンテナ部として、企業のロゴなどをアンテナデザインと一体化させ、アンテナ部５１と５２を形成し、さらに枠をなすアンテナ部５と電気的に接続している。
【００１３】
【発明の効果】
本発明は商品などにＩＤをつけて流通の効率化などを実現する無線タグに関して、そのアンテナ形成を効率的に行う方法を与えるものであり、アンテナデザインが商品の説明などと融合した無線タグを実現することができる。
【図面の簡単な説明】
【図１】本発明による無線タグシステムの構成を示す。
【図２】図１の無線タグを示す。
【図３】本発明によるアンテナの実施例を示す。
【図４】本発明によるアンテナの別の実施例を示す。
【符号の説明】
１  無線タグ
２  リーダー
３  商品説明部
４  チップ部
５  アンテナ部
１０  無線
１００  ラベル
【図１】
2005018124.tif 000003
【図２】
2005018124.tif 000004
【図３】
2005018124.tif 000005
【図４】
2005018124.tif 000006
(57)【要約】【課題】本発明は前払いした金額の一定割合が商品受け取り時に支払われる証券発行により、その商品購入者の資金運用の選択枝を広げ、商品販売者の経営コストを低減させる方法と、その証券を売買できる市場を創設することで、新たな金融商品を提供することを目的とする。【解決手段】消費者甲は一定期間後商品と現金を受け取る証券を商品供給者乙より商品の定価で購入する。乙は商品の仕入れまたは製造コストを低減させ、期間経過後に証券記載条件を実行する。甲の購入した証券は、乙が証券売買を認める丙の提供する証券市場で売買できる。【特許請求の範囲】
【請求項１】
消費者甲が商品またはサービス（以下商品と言う）を定価金額（場合により増減する場合もある金額）を商品供給者乙に支払い、期間経過後に乙は甲に商品を引き渡すと同時に商品の定価に対して一定割合の現金を支払う証券を発行することにより、甲は商品と現金の合計として資産価値を上昇させ、乙は将来の販売数量の不確定数を小さくし、低コストで資金調達し、商品の仕入れまたは製造コストを低減する方法と、甲の証券を乙が認める丙の提供する証券市場で売買する方法。
【発明の詳細な説明】
【０００１】
【発明の属する技術分野】前払いした金額の一定割合が商品受け取り時に支払われる証券発行により、その商品購入者の資金運用の選択枝を広げ、商品販売者の経営コストを低減させる方法と、その証券を売買できる市場創設に関する。
【０００２】
【従来の技術】定価より一定金額割り引いた金額で前払いすることにより、商品を販売する割引販売の方法はあった。
【０００３】また、定価金額を前払いすることで購入数量を割り増しする増量販売の方法もあった。
【０００４】前２項の一部の商品については商品券等の形態をとるので、買い取る業態もあったが、最初の商品購入者は購入時より割引された価格で販売せざるを得ず、資産は減少した。
【０００５】商品券等の形態をとらない物や前記業態で扱われない商品の再現金化は困難であり、購入者は大幅な損失となった。
【０００６】割引販売の方法ではその割引された金額の運用の選択枝は少なかった。
【０００７】
【発明が解決しようとする課題】本発明は前払いした金額の一定割合が商品受け取り時に支払われる証券発行により、その商品購入者の資金運用の選択枝を広げ、商品販売者の低コスト化を促進させる方法と、その証券を売買できる市場を創設することで、新たな金融商品を提供することを目的とする。
【０００８】
【課題を解決するための手段】消費者甲が新車を購入する場合について説明する。甲は定価金額（受取金額により増減させた金額とする場合もある）を新車販売者乙に支払う。その時乙は甲に対して、新車引き渡し時に契約期間等に応じて定価に対する一定金額（半額、全額等）の現金を支払う証券を発行する。
【０００９】乙は将来の販売数量の不確定数を小さくできることと、低コストでの資金調達ができるので、商品の仕入れまたは製造コストが低減できる。
【００１０】期間経過後に乙は証券所有者に新車引き渡しと現金支払いを行う。
【００１１】甲の購入した証券は、乙が証券売買を認める丙の提供する証券市場で売買できる。
【００１２】
【発明実施の形態】前述課題を解決するための手段に沿う。
(57)【要約】【課題】従来の磁気ディスク装置では、媒体に与えられた衝撃等により発生した傷が要因で欠陥登録されている場合、その傷の状態によっては磁気ヘッドとの接触等による実動作上の影響から欠陥部分が拡大する可能性がある。その場合読み出し動作エラーの発生原因や記録データの消失につながるという問題点があった。【解決手段】通常の再生動作においてリトライで回復不能なエラーが発生した場合、エラー箇所判別部３はメモリ２に登録されている欠陥箇所の近傍かどうかを判断する。近傍であった場合、エラー箇所板別部３はリトライ動作などにより読み出した記録データを安全なセクタへ待避させ、後発欠陥箇所をメモリ２の欠陥情報に追加登録する。【選択図】  図１
2005018948.tif 000002
【特許請求の範囲】
【請求項１】
磁気記憶媒体にデータを記録し、再生する磁気ディスク装置において、予め前記磁気記録媒体の欠陥箇所を検出して登録しておくメモリと、データ再生時にリトライで回復不能なエラーが発生した際に前記エラー発生箇所が前記登録された欠陥箇所の近傍であるかどうか判断し、近傍であった場合に前記メモリに前記エラー発生箇所を追加登録するエラー箇所判別部とを有することを特徴とする磁気ディスク装置。
【発明の詳細な説明】
【０００１】
【発明の属する技術分野】
本発明は磁気ディスク装置に関し、特に信頼性向上を目的とした媒体の後発欠陥検出機能を持つ磁気ディスク装置に関する。
【０００２】
【従来の技術】
磁気ディスクにおいてデータを記録・再生する為に使用される磁気記録媒体には、データの記録・再生動作に支障をきたすような欠陥部分が少なからず存在している。しかし、この欠陥部分をゼロにすることは磁気記録媒体の正常工程上不可能であり、磁気ディスク装置は磁気記録媒体の欠陥部分の存在をある程度許容している。
【０００３】
欠陥部分を許容する方法として、従来の磁気ディスク装置は一般的にＥＴＦ（Ｅｒｒｏｒ  Ｔｅｓｔ  Ｆｏｒｍａｔ）試験と呼ばれる方法を採用している。ＥＴＦ試験においては通常使用するフォーマット状態においてデータの記録・再生の余裕度（マージン）を測定し、所定の値に満たないセクタ部分を通常の記録・再生動作に支障をきたすセクタと判断し、予めディフェクト（欠陥）情報として登録しておき、そのセクタが通常使用されないようにスキップ処理が施される。
【０００４】
【特許文献１】
特開平７−０４６０１１号公報
【０００５】
【発明が解決しようとする課題】
磁気記録媒体の欠陥情報として登録される欠陥部分の要因としては、媒体に与えられた衝撃等の外的要因により発生した傷が挙げられる。図２は磁気記録媒体の欠陥部分の状態を表す図である。記録媒体に与えられた衝撃等の外的要因により発生した傷をトラックとセクタによりそれぞれ半径方向と円周方向の物理的位置関係で示している。図２の場合、トラックＢのセクタｂ及びトラックＣのセクタｂの２つのセクタにまたがる欠陥が存在していることになる。この２つのセクタは予め実施されているＥＴＦ試験により検出され欠陥情報として登録処理が行われており、通常の記録・再生動作には使用されないセクタである。
【０００６】
しかし、この媒体欠陥は媒体に与えられた衝撃等の外的要因により発生した傷である為、高密度記録化され浮上量の低くなった磁気ディスク装置では、記録・再生において本来は互いに非接触で動作しているはずの媒体と磁気ヘッドが接触する可能性がある。その影響で、欠陥部分から更に二次災害的に欠陥部分が拡大する可能性がある。例えば図２においてはトラックＡのセクタｂに後発の欠陥部分が広がっている。
【０００７】
この場合、ＥＴＦ試験により検出し予め登録しておいた欠陥情報と異なる所に欠陥（後発欠陥）が存在することになり、記録・再生動作エラーの発生、さらには記録データの消去につながる可能性があるという問題がある。
【０００８】
【課題を解決するための手段】
本発明は磁気記憶媒体にデータを記録し、再生する磁気ディスク装置において、予め前記磁気記録媒体の欠陥箇所を検出して登録しておくメモリと、データ再生時にリトライで回復不能なエラーが発生した際に前記エラー発生箇所が前記登録された欠陥箇所の近傍であるかどうか判断し、近傍であった場合に前記メモリに前記エラー発生箇所を追加登録するエラー箇所判別部とを有することを特徴とする。
【０００９】
【発明の実施の形態】
本発明の磁気ディスク装置を図面を用いて説明を行う。図１は本発明の磁気ディスク装置の実施形態を示す構成図である。図１によれば、本実施形態は複数の磁気記憶媒体が格納されている磁気ディスクドライブ１、磁気記憶媒体の欠陥部分を予め検出して記憶しておくメモリ２、動作時に回復不能なエラーが発生した場合に前記記憶していた欠陥部分の近傍であるかどうかを調べ、発生したエラーが記憶していた欠陥部分の近傍であった場合にメモリ２に欠陥情報を追加登録するエラー箇所判別部３、各構成部品を制御するＣＰＵ４とからなる。
【００１０】
次に本実施形態の動作の説明を行う。まず予めＥＴＦ試験で検出した登録欠陥箇所の位置関係を調べることにより、媒体に与えられた衝撃等の外的要因により発生した傷による欠陥の存在を抽出しておく。この抽出は具体的には欠陥箇所の集中している場所を検索することで実現し、例えば図２の場合トラックＢのセクタｂ、トラックＣのセクタｂにわたって欠陥箇所が存在している。この欠陥箇所をメモリ２に登録する。
【００１１】
次に通常の再生動作においてリトライで回復不能なエラーが発生した場合、エラー箇所判別部３はメモリ２に登録されている欠陥箇所の近傍かどうかを判断する。近傍（例えば図２トラックＡのセクタｂ）であった場合、エラー箇所板別部３はリトライ動作などにより読み出した記録データを安全なセクタへ待避させ、後発欠陥箇所をメモリ２の欠陥情報に追加登録する。
【００１２】
また、自己診断時においてメモリ２に登録されている欠陥情報の近傍セクタに対し積極的な再生動作を行い、リトライで回復不能なエラーを発見した場合も同様に後発欠陥箇所を追加登録する。
【００１３】
【発明の効果】
以上のように本発明の磁気ディスク装置によれば、予め登録されている欠陥箇所の近傍でエラーが発生した際に後発欠陥情報として追加登録することにより、媒体傷の拡大発展による後発欠陥箇所の記録データの消失を未然に防ぐことが可能となる。
【図面の簡単な説明】
【図１】本発明の一実施形態を示す構成図である。
【図２】磁気記録媒体の欠陥箇所を示す図である。
【符号の説明】
１  磁気ディスクドライブ
２  メモリ
３  エラー箇所判別部
４  ＣＰＵ
【図１】
2005018948.tif 000003
【図２】
2005018948.tif 000004
(57)【要約】【課題】マウスパッドの摩擦抵抗によって、マウスの長時間使用で疲労感を与えること、及び静電気の発生により空気中の塵、埃が付着して、マウスパッド及びマウス内部の汚れることを解消することにある。【解決手段】天然石材を板状に加工し、手前６０ｍｍの部分に勾配を取り、表面を鏡面仕上げとしマウスパッドを形成したものである。天然石材であることから、摩擦抵抗が少なく長時間使用によっても、疲労感を感じなく静電気が発生しにくいので、空気中の塵、埃が付着せず、汚れないものとなる。【選択図】      図    １
2005018715.tif 000002
【特許請求の範囲】
【請求項１】
パソコンをマウスによって操作する際に使用するマウスパッドでありこのマウスパッドは、御影石または大理石等の天然石材を加工形成してあることを特徴とする天然石マウスパッド。
【請求項２】
マウスパッドの表面は、鏡面に加工されている請求項１に記載の天然石マウスパッド。
【請求項３】
マウスパッドの裏面には滑り止めが設けられている請求項１又は２に記載の天然石マウスパッド。
【請求項４】
マウスパッドの厚みを５〜１０ｍｍとし、縦横の長さを２００ｍｍ×１６０ｍｍとし手前６０ｍｍに勾配をとった請求項１、２または３に記載の天然石マウスパッド。
【発明の詳細な説明】
【０００１】
【発明の属する技術分野】本発明は、御影石または大理石の天然石材を利用したマウスパッドに関するものである。
【０００２】
【従来の技術】一般のマウスパッドは、例えば、ウレタン、ゴム製等のものが多く使用されており、その表面にファイバー加工等を施して滑りを良くしたものも従来例として周知である。
【０００３】
【発明が解決しようとする課題】前記従来例のマウスパッドは、摩擦抵抗が大きいので比較的マウスの滑りが悪く、長時間の使用によって腕又は、手首に疲労感を与え、マウスとの摩擦によって静電気が発生しやすく、空気中の塵、埃が付着し汚れると言う問題点を有している。
【０００４】また、マウスパッドに塵、埃が付着することによりマウスのボール面だけではなく内部にも塵、埃を引き込み、マウス内部が汚れるという問題点も有している。
【０００５】従って従来例のマウスパッドにおいては、静電気の発生を軽減させて塵、埃の付着を防止すること、マウスを滑りやすくすること手首の疲れをなくすことに解決しなければならない課題を有している。
【０００６】
【課題を解決するための手段】前記従来例の課題を解決する具体的手段として本発明は、パソコンをマウスによって操作する際に使用するマウスパッドであって、このマウスパッドは、御影石又は大理石の天然石材を加工形成してなることを特徴とする天然石マウスパッドを、提供するものであり、この構成に加えて、前記マウスパッドの表面は鏡面加工されていること、マウスの手前６０ｍｍに勾配を施していること、マウスパッドの裏面には滑り止めが設けられていること、マウスパッドの厚みを５〜１０ｍｍとし、縦横の長さを２００ｍｍ×１６０ｍｍの長方形にしたことも含むものである。
【０００７】本発明においては、勾配を施した天然石材でマウスパッドを形成した事により、摩擦抵抗が少なくマウスが滑りやすいので、長時間使用によっても疲労感を覚えないばかりでなく、静電気が発生し難いので、空気中の塵、埃が付着せず汚れないものとなるのである。
【０００８】
【発明の実施の形態】次に、本発明に係わる天然石マウスパッドを図示の実施例により詳しく説明すると、１は天然石マウスパッドでありこのマウスパッド１は、御影石または大理石の天然石材によって長方形に加工されたものである。
【０００９】この天然石マウスパッド１は、その表面が鏡面加工され２には５ｍｍの勾配を施してあり、裏面側には滑り止めを付与するために、ゴム材またはウレタン材等からなる１ｃｍ四方の滑り止め材３を接着により取り付けてある。
【００１０】マウスパッド１は厚みが５〜１０ｍｍであり縦・横の長さが２００ｍｍ×１６０ｍｍであり、表面側及び裏面側のエッジを面取りしてある。なお、正方形、円形であっても良い。
【００１１】このように形成された天然石マウスパッド１は、図２に示したように、パソコンが設置されているテーブル上において、キーボード４の横に設置され、マウス５の操作の際に使用される。
【００１２】このときに、マウスパッド１の裏面に滑り止め材３が取り付けてあることにより、落ち着いた状態で使用でき、マウスパッド１が天然石材で形成されているので、摩擦抵抗が少なく、マウス５が滑りやすくなり、マウスのボールに負担をかけることも無く正確な操作ができる。
【００１３】特に、マウスパッド１の手前６０ｍｍに５ｍｍの勾配を施したことにより、長時間の使用によってもオペレーターに対する疲労感が少なくなり、手首に不快感を与えることも無く同時に摩擦が少なく静電気がほとんど発生しない天然石材であることから、空気中の塵・埃が付着しないので、マウス５の汚れも解消できるのである。
【００１４】このマウスパッド１は光学式マウスに対しても、マウスパッド１の表面が鏡面加工されてあることから光の反射率が良く、マウス５のスムーズな動きを実現できるものである。
【００１５】
【発明の効果】以上説明したように本発明による天然石マウスパッドは、パソコンをマウスによって操作する際に使用するマウスパッドであって、このマウスパッドは、御影石又は大理石の天然石材を加工し、手前６０ｍｍに勾配を施した構成を有することにより、摩擦抵抗が少ないことからマウスが滑りやすく、マウスのボールが確実に転動することから、マウスの操作性が良くなり、長時間にわたって使用しても、オペレーターに疲労感を与えないと言う優れた効果を発揮する。
【００１６】また、マウスパッドが天然石材であることから、摩擦抵抗が少なく静電気が発生し難いことから、塵・埃の付着が少なくなり、マウスパッドの汚れが無くなると共に、マウスのボールによる内部への塵・埃の取り込みも少なく、内部の汚れも解消できる。
【００１７】仮に汚れが付着しても、布等で簡単に拭き取ることができる。と共に落ち着いた高級感を出す事ができる。
【図面の簡単な説明】
【図１】本発明の天然石マウスパッドの斜視図である。
【図２】天然石マウスパッドの使用状態を説明するための図である。
【符号の説明】
１・・・・・天然石マウスパッド
２・・・・・勾配部分
３・・・・・滑り止め部材
４・・・・・キーボード
５・・・・・マウス
【図１】
2005018715.tif 000003
【図２】
2005018715.tif 000004
(57)【要約】【目的】本発明は、飲用薬の間違いによる薬害事故防止に関する方法で、医者が処方した薬が正しく渡されているか  患者が正しく服用しているかを  ＩＣメモリ・カードで管理する方法の提供です。【構成】病院  医者からの病名と薬の処方箋を発行します。薬局  処方箋に基づいてＩＣメモリ・カードに  薬の情報などを記録し  ＩＣメモリ・カドと処方薬を患者に渡します。患者  ＩＣメモリ・カードの内容に従って薬を服用し  服用回数をＩＣメモリ・カードに記録します。通院時ＩＣメモリ・カードを持参し医者に渡します。医者  ＩＣメモリ・カードの内容で、薬や服用に間違いが無いかチエックでき、正しい治療ができます。【特許請求の範囲】
【請求項１】
病院から患者の病歴や処方される薬の種類と服用方法その他必要情報を、ＩＣメモリ・カードに記録して渡します。
患者は、処方された薬を服用する度に、時間や病院から指示された事項を、ＩＣメモリ・カードに記録して、通院のとき病院に渡します。
医者は、ＩＣメモリ・カードを患者が通院する度に、内容を調べる事ができるので、薬の処方間違いや、服用状況がチエックでき、薬による医療事故も未然に防ぐことができます。
病院から支給される処方薬や服用状況を常時チエックできる、ＩＣメモリ・カードで患者の薬服用状況を管理する方法。
【発明の詳細な説明】
【０００１】
【発明の属する技術分野】
本発明は、病院や薬局からの薬の処方間違いや、患者が薬の間違った服用による薬害事故被害を未然に防止する方法に関する。
【０００２】
【従来の技術】
従来、患者は病院から薬の処方箋を渡され  薬局で薬を受け取る方法なので薬の間違いや服用状況を  医者が確認することが出来ません、このような状況では薬による薬害事故発生も起こり危険です。
【０００３】
【発明が解決しようとする課題】
病院や薬局から患者に渡された薬の処方が間違っていないか、患者が薬の服用を医者の指示どうりか、病名と薬が間違っていないか、通院時に医者が直接チエックし確認出来るようにする。
【０００４】
【課題を解決する手段】
医者と患者間の情報伝達にＩＣメモリ・カードを使用し，医者からの病名と薬の情報を薬局で  ＩＣメモリ・カードに記録して処方薬と一緒に患者に渡します。帰宅した患者は  自宅の薬管理端末器にＩＣメモリ・カードをセットします。薬を服用するとき端末器のスイッチをいれると  端末器の画面にＩＣメモリ・カードの記録内容情報が表示され  薬の服用指示が出ます。
ＩＣメモリ・カードには病院からの情報として  患者名、病名、薬の名前、薬の写真、服用方法、服用時間（食前、食後、時間間隔）、一回の服用数、一日の服用回数、時間服用の時の経過時間知らせアラーム、注意事項などの情報を記録して渡します。
患者は薬を服用の度に  服用数をスイッチでＩＣメモリ・カードに記録します。患者は通院時ＩＣメモリ・カードを管理端末器から外して持参し診察を受けます。医者は患者が持参したＩＣメモリ・カードを  専用のＩＣメモリ・カード読取り器で記録内容を確認します、この時  処方薬のチエック・正しい服用のチエック・薬の残量チエックをします。
【０００５】
【発明の実施の携帯】
医者から患者名・病名と薬の処方箋が薬局に渡されます。
薬局から患者へ  処方薬と病院からのいろいろな情報を専用記録器で記録したＩＣメモリ・カードが渡されます。
患者は自宅で薬管理端末機の指示で  薬を服用と同時に服用回数をＩＣメモリ・カードに記録します。
患者は通院時ＩＣメモリ・カードを持参し  医者に記録内容と薬の服用状況をチエックして貰います。
【０００６】
【発明の効果】
病院が患者への  薬の処方間違いチエック、患者が薬の間違った服用していないかチエックができ、薬害事故も無くなり正しい治療ができると同時に  病歴と服用薬の処方履歴が残るので  病院が変わってもＩＣメモリ・カードを新規病院に提出することで、病気の正しい治療を継続して受けることができます。
(57)【要約】【課題】面取り機の面取り補正値入力操作が容易で誤操作の少ない補正値の入力方法及びこれを用いた面取り機の提供を目的とする。【解決手段】数値入力の工数が大きいこと、及びその都度、絶対値入力しているので入力誤操作が発生しやすいことに着目し、面取り加工における面取り量の補正方法において、予め補正量がそれぞれ設定された一群の複数の入力ボタンの中から一つの入力ボタンを選択押釦し、その補正値の正負選択ボタンを押釦することで面取り補正値を入力操作できるようにした。【選択図】  図１
2005018345.tif 000002
【特許請求の範囲】
【請求項１】
面取り加工における面取り量の補正方法において、予め補正量がそれぞれ設定された一群の複数の入力ボタンの中から一つの入力ボタンを選択押釦し、その補正値の正負選択ボタンを押釦することで面取り補正値を入力することを特徴とする面取り機における補正値入力方法。
【請求項２】
面取り機の面取り補正値の入力操作部に、予め補正量がそれぞれ設定された一群の複数の入力ボタンと、補正値の正負選択ボタンとを備え、これらから選択的に押釦された指令に基づいて面取り補正が実行されるようにしたことを特徴とする面取り機。
【発明の詳細な説明】
【０００１】
【発明の属する技術分野】
本発明は、レンズの外形を面取りしてレンズの芯を出すレンズ芯取り機や、ガラス基板の外形寸法整形、面取り研削等の面取り機における面取り補正値の入力方法及びこれを用いた面取り機に関するものである。
【０００２】
【従来の技術】
レンズを回転させ、その外周を面取りしてレンズの芯取り加工が行われている。
この場合に、レンズの仕上がり径を作り込むために段階的に、あるいは芯取りするレンズ毎に面取り量の補正値を入力操作することが行われている。
【０００３】
また、液晶基板等においては、外形寸法を作り込むために外形整形面取りやエッジ部の面取り加工が施されている。
【０００４】
従来、このような面取り機においては、面取り量の補正値を入力操作する手順は図３に示すように、まず操作パネル表示部にテンキーを押釦操作して補正値の数値を絶対値入力し、その後に入力キーを押釦して補正値入力操作をしていた。
【０００５】
しかし、このような補正値の値を数字入力としてその都度入力表示した後に、補正値入力する方法では数字入力に工数を要するだけでなく、入力誤操作も発生しやすかった。
特に、レンズの芯取り機においては面取りの補正値入力は頻繁に必要であり、補正値を数字で絶対値入力することは生産性向上のネックの１つとなっていた。
【０００６】
特開平５−２８２０２４号公報には、ＮＣ工作機械の制御変数の設定に手間がかからない方法が開示されているが、この場合にも制御変数を数値入力する点では従来の面取り機と同様である。
【０００７】
【特許文献１】
特開平５−２８２０２４号公報
【０００８】
【発明が解決しようとする課題】
本発明は、面取り機の面取り補正値入力操作が容易で誤操作の少ない補正値の入力方法及びこれを用いた面取り機の提供を目的とする。
【０００９】
【課題を解決するための手段】
本発明は数値入力の工数が大きいこと、及びその都度、絶対値入力しているので入力誤操作が発生しやすいことに着目し、面取り加工における面取り量の補正方法において、予め補正量がそれぞれ設定された一群の複数の入力ボタンの中から一つの入力ボタンを選択押釦し、その補正値の正負選択ボタンを押釦することで面取り補正値を入力操作できるようにした。
【００１０】
また、面取り機の面取り補正値の入力操作部に、予め補正量がそれぞれ設定された一群の複数の入力ボタンと、補正値の正負選択ボタンとを備え、これらから選択的に押釦された指令に基づいて面取り補正が実行されるようにしたことを特徴とする面取り機とした。
【００１１】
ここで、予め補正量がそれぞれ設定された一群の複数の入力ボタンとは、入力基準となる補正値を事前に設定した入力ボタンをいう。
例えば、補正値を０．０１、０．０２、０．０３、０．０５のように予め設定した入力操作ボタンをいう。
また、入力ボタンとは分かりやすくするために用いた表現であり、タッチパネルにおけるフレキシブル基板上に入力操作部を設けた構造等、指先等で選択押圧操作する方法一般を意味する。
【００１２】
本発明における技術的特徴は、数字入力ではなく、いわゆるインクリメンタル入力操作とした点にある。
即ち、予め設定された補正値ボタンと、＋及び−ボタンからなる正負符号ボタンの組み合わせにて入力操作出来るようにしたものであり、正負入力ボタンの押釦は補正量の幅を設定した毎に＋ボタンを１回押釦する補正値が＋方向に入力され、−ボタンを１回押釦すると逆に補正値が−方向に入力される。
従って、設定された補正値幅に対して＋または−ボタンを押すだけで、押す回数だけ補正出来ることになりインクリメンタル入力となる。
また、正負符号と補正幅を組み合わせた例えば、＋０．０２、−０．０２のようにボタン設定してもよいが、正負符号ボタンを分離した方がボタンの数が少なくて済むとともに、＋／−の誤操作も防止できる。
【００１３】
【発明の実施の形態】
図１に本発明を適用した面取り機の補正値入力操作部の配置例を示し、図２に入力操作のフローチャートを示す。
レンズの仕上がり径を測定し、例えば０．０２ｍｍさらに面取りしたい場合には、図１に示した０．０１、０．０２、０．０３、０．０５の表示ボタン（１〜４）から０．０２の表示ボタン（２）を選択し、押釦（Ｓ１）し、次に＋ボタン（５）を押釦（Ｓ２）すると補正値が入力される（Ｓ３）。
ここで、補正値幅を０．０２に設定したまま、＋ボタン又は−ボタンを押すだけで、その設定幅をインクリメント値として入力できる。
【００１４】
【発明の効果】
本発明においては、面取り補正値を入力基準となる補正値として予め設定し、インクリメンタル入力方式としたことにより、従来の数値の数字入力方法に比較して操作工数が低減出来、誤操作も抑えることが出来る。
これにより、面取り加工の生産性が向上する。
【図面の簡単な説明】
【図１】本発明に係る補正値入力操作部の例を示す。
【図２】補正値入力操作のフローチャートを示す。
【図３】従来の補正値入力操作方法を示す。
【符号の説明】
１、２、３、４  補正値幅ボタン
５    ＋ボタン
６    −ボタン
【図１】
2005018345.tif 000003
【図２】
2005018345.tif 000004
【図３】
2005018345.tif 000005
(57)【要約】【課題】通常使用されるプリンタで印刷可能で、被着物への貼付が見た目も美しく、被着物から容易に剥離可能な一時的仮貼付目的で使用できるラベル単片５を複数設けたプリンタ用ラベルシート１を提供する。【解決手段】上紙シート２の裏面側に粘着剤部６と剥離シート８を有する、通常使用されるプリンタの用紙と同サイズのラベルシートにおいて、上紙シート２上に連続切込線３と、点線状切込線４により区画されたラベル単片５を複数設けるとともに、そのラベル単片５裏面の粘着剤部６の一部に全く粘着剤を有さない無粘着剤部７を設けたことを特徴とするプリンタ用ラベルシート１である。【選択図】          図１
2005018003.tif 000002
【特許請求の範囲】
【請求項１】
上紙シートの裏面側に粘着剤部と剥離シートを有する、通常使用されるプリンタの用紙と同サイズのラベルシートにおいて、上紙シート上に連続切込線と、点線状切込線により区画されたラベル単片を複数設けるとともに、前記ラベル単片の裏面の粘着剤部の一部に全く粘着剤のない無粘着剤部を設けたことを特徴とするプリンタ用ラベルシート。
【発明の詳細な説明】
【０００１】
【発明の属する技術分野】
本発明は、通常使用されるプリンタで印刷可能な上紙シートに、一時的仮貼付目的で使用できるラベル単片を複数設けたプリンタ用ラベルシートに関する。
【０００２】
【従来の技術】
従来、一般に、通常使用されるプリンタの用紙と同サイズのラベルシートは、上紙シートに粘着剤が裏面に全面塗布されており、上紙シートに単数から複数設けられたラベル単片も粘着剤が裏面に全面塗布されている。このラベル単片を一時的仮貼付目的で被着物に使用する場合、前記のように粘着剤が裏面に全面塗布されているため、被着物に全面貼着してしまい、容易に剥がすことはできなかった。
【０００３】
一方、被着物に一時的仮貼付目的で使用できるものとして、紙、プラスチックなどに部分粘着部を有する付箋紙が挙げられる。しかし、付箋紙は一般に前記部分粘着部を積層して商品化されているため、形態上、通常使用されるプリンタで文字、数字、画像などの各々所要の情報を印刷するには不向きである。
【０００４】
また、使用者が紙に通常使用されるプリンタで文字、数字、画像などの各々所要の情報を印刷し、長方形、正方形などに切断後、使用者任意の被着物にセロハン粘着テープで貼付する場合もあるが見た目は美しくない。
【０００５】
【発明が解決しようとする課題】
本発明は、上記従来の技術を解決するために、文字、数字、画像などの各々所要の情報を通常使用されるプリンタで印刷可能で、被着物への貼付が見た目も美しく、被着物から容易に剥離可能な一時的仮貼付目的で使用できるラベル単片を複数設けたプリンタ用ラベルシートの提供を課題とする。
【０００６】
【課題を解決するための手段】
以上の課題を解決するために、請求項１の発明は、上紙シートの裏面側に粘着剤部と剥離シートを有する、通常使用されるプリンタの用紙と同サイズのラベルシートにおいて、上紙シート上に連続切込線と、点線状切込線により区画されたラベル単片を複数設けるとともに、前記ラベル単片の裏面の粘着剤部の一部に全く粘着剤を有さない無粘着剤部を設けたことを特徴とするプリンタ用ラベルシートである。
【０００７】
【発明の実施の形態】
以下、本発明の実施の形態について図面を用いて詳細に説明する。図１は本発明の図１のＡ−Ａ断面図である。図２はラベルシート１正面図である。図１、図２において、１はラベルシート、２は上紙シート、３は連続切込線、４は点線状切込線、５はラベル単片、６は粘着剤部、７は無粘着剤部、８は剥離シートである。ラベル単片５は連続切込線３と、点線状切込線４により区画されている。この点線状切込線４は、無粘着剤部７辺縁の一部に設け、ラベルシートの取り扱い中にラベル単片５のずれを防ぐために有用である。ラベル単片５は、裏面に粘着剤部６と、全く粘着剤のない無粘着剤部７を有している。粘着剤部６の粘着剤は被着物を傷めることが少なく、容易に剥がせる弱粘着剤を使用する。ラベル単片５を剥離シートから剥がす時は、粘着剤部６から剥がし、点線状切込線４を切って剥がすか、または、点線状切込線４を切ってから、粘着剤部６を剥がすかで、いずれも容易に剥がせる。使用者任意の被着物に貼付し、使用後は無粘着剤部７を指での引き上げ部として被着物より容易に剥離できる。ラベルシート１を大量に印刷した場合に総ラベル単片数を数え易くするために、一枚の上紙シート２上に設けるラベル単片５の片数は、１０片、２０片、３０片、４０片、５０片、１００片など、切りのよい数が望ましい。印刷せずに所要の情報を筆記して付箋紙として使用してもよい。
【０００８】
【発明の効果】
以上説明したように、この発明によれば、通常使用されるプリンタの用紙と同サイズのラベルシートで、使用者が文字、数字、画像など各々所要の情報が印刷でき、被着物への貼付が見た目も美しく、一時的仮貼付目的で使用できるラベル単片５が少量から大量に生産可能となった。ラベル単片５の無粘着剤部７が指での引き上げ部分となるため、被着物から容易に剥がせるようになった。よって、迅速さも増すこととなり、大量に剥がす場合でも作業時間が大幅に短縮された。
【図面の簡単な説明】
【図１】本発明の図１のＡ−Ａ断面図である。
【図２】本発明のラベルシートの正面図である。
【符号の説明】
１  ラベルシート
２  上紙シート
３  連続切込線
４  点線状切込線
５  ラベル単片
６  粘着剤部
７  無粘着剤部
８  剥離シート
【図１】
2005018003.tif 000003
【図２】
2005018003.tif 000004
(57)【要約】【課題】本発明は、歌唱力を上達させるために、日常生活では、鍛えにくい横隔膜を鍛えるための器具である。人間にとって声を出すために、横隔膜の働きが重要とされている。横隔膜を鍛える事により、安定した声、強い声が出せるようになる。通常、歌唱力を上達させる事は、カラオケ教室等のレッスンなどの特別な場所での練習で上達が効果的だと思われる。【解決手段】本発明を口にくわえ、鼻から吸った息を通気孔（２）に通すように吐く。普通に息をすれば何の抵抗も無いが、吐く息を通気孔（２）に通すことで、抵抗がかかり横隔膜に負担をかけ、それにより横隔膜を鍛える事が可能になる。【選択図】図１
2005018001.tif 000002
【特許請求の範囲】
【請求項１】
口にくわえる円柱体（１）の端から端までに設けた小さな通気孔（２）を有し、  吐く息を小さな通気孔（２）に通す事で横隔膜を鍛えるための器具。
【請求項２】
口にくわえる円柱体（３）の端から端まで設けた小さな通気孔（４）を有し、音が出る部分（５）を設け、吐く息を小さな通気孔（４）に通し、通気孔（４）を通る事で音が出る（５）から出る音を聞きながら横隔膜を鍛えるための器具。
【発明の詳細な説明】
【０００１】
【発明の属する技術分野】
この発明は、発声に伴う呼吸器官である横隔膜を鍛えるための器具に関するものである。
【０００２】
【従来の技術】
従来、カラオケ教室で歌う事や、発声練習などで声をだしての練習により歌唱力の上達を求める。
【０００３】
【発明が解決しようとする課題】
歌唱力を上達させるためには、大きな声を出す事や、歌を歌い練習する事が必要とされ、特別な場所で練習しなければならなかった。
本発明は、これらの問題を解決し、声を出す事も無く歌唱力の上達への鍛錬ができるようになされたものである。
【０００４】
【課題を解決しようとする手段】
人間にとって声を出すために、横隔膜の働きが重要とされている。
横隔膜を鍛える事により、安定した声、強い声が出せるようになる。
横隔膜を鍛えるためには、深くゆっくりと呼吸をする事が知られている。
本発明は、鼻から吸った空気を自然にゆっくりと吐く事ができるように、吐く息を通りにくい筒の小穴を通らせる事で横隔膜に負担をかける事により横隔膜を鍛える為の器具である。
【０００５】
【発明の実態の形態】
円柱体（１）内の端から端まで小さい通気孔（２）を設ける。
円柱体（３）内の端から端まで小さい通気孔（４）を設け、音が出る部分（５）を設ける。
本発明を使用する場合は、円柱体（１）（３）を口に深くくわえ、鼻から吸った息をゆっくりと通気孔（２）（４）を通すように吐き出す。
音が出る部分（５）はどれくらいゆっくりと息を吐き続ける事ができるか時間を計る時に良い目安になる為に設ける。
【０００６】
【発明の効果】
本発明を続けて使用する事により、横隔膜が鍛えられ、それにより力強い安定した声を得る事ができるようになり歌唱力が上達するようになる。
【図面の簡単な説明】
【図１】本発明の斜視図
【図２】本発明の斜視図
【図３】本発明の使用状態の図
【符号の説明】
（１）円柱体、（２）通気孔、（３）円柱体、（４）通気孔、（５）笛部
【図１】
2005018001.tif 000003
【図２】
2005018001.tif 000004
【図３】
2005018001.tif 000005
(57)【要約】【課題】所定の電圧を出力しつつ、出力電圧の電圧降下を低減可能な電源切り替え回路。【解決手段】コンパレータを用いて、電源を比較し、それによってＭＯＳスイッチをＯＮまたはＯＦＦにすることによって電圧を切り替える。【選択図】    図１
2005018514.tif 000002
【特許請求の範囲】
【請求項１】
第１の電圧源と、
第２の電圧源と、
出力電圧が出力される出力ノードと、
前記出力ノードと前記第１の電圧源との間に接続された第１のＭＯＳトランジスタと、
前記出力ノードと前記第２の電圧源との間に接続された第２のＭＯＳトランジスタと、
前記第１の電圧源の出力と前記第２の電圧源の出力とを比較し、前記第１及び第２のＭＯＳトランジスタを制御する信号を出力するコンパレータと、を有し、
前記コンパレータは、前記第１の電源の電圧が第２の電源の電圧より高い場合、前記第１のＭＯＳトランジスタをＯＮし前記第２のＭＯＳトランジスタをＯＦＦする信号を出力することを特徴とする電源切り替え回路。
【請求項２】
前記第１または第２のＭＯＳトランジスタのチャネルサイズを調整することにより、前記出力電圧を調整することを特徴とする請求項１に記載の電源切り換え回路。
【発明の詳細な説明】
【０００１】
【発明の属する技術分野】
本発明は回路の電源切り替え回路に関する。
【０００２】
【従来の技術】
従来、図２の回路図に示されるような電源切り替え回路が知られていた。すなわち、各電圧源の出力にそれぞれダイオードのアノードを接続し、前記ダイオードのカソードを１つに結線することで構成される（例えば、特許文献１参照）。
【０００３】
電圧源１３の出力電圧Ｖａと、電圧源１４の出力電圧Ｖｂを比較した場合、Ｖａ＞Ｖｂの場合は、出力ノード１７の出力電圧は、Ｖｏｕｔ＝Ｖａ−Ｖｆとなる。前記Ｖｆはダイオードの閾値電圧による電圧降下を表し、室温で０．６Ｖ程度の値を持つ。また、Ｖａ＜Ｖｂの場合、出力電圧Ｖｏｕｔ＝Ｖｂ−Ｖｆとなる。このように、より高い出力電圧を持つ電源を選択して出力することが可能となる。
【０００４】
【特許文献１】
特開平５−１９９０２号公報（第２−３頁、第７図）
【０００５】
【発明が解決しようとする課題】
しかし従来の電源切り替え回路では、出力される電圧が入力電圧よりもＶｆだけ低くなってしまうという問題があった。特に低電源電圧帯で使用される回路に対して、Ｖｆの電圧降下は望ましくない。
【０００６】
【課題を解決するための手段】
上記目的を達成するために、本発明の電源切り替え回路は、コンパレータによってより高い電源電圧を選択し、ＭＯＳスイッチを切り替えることによって、前記選択された電圧を出力することを特徴としている。ＭＯＳスイッチによる電圧降下はＭＯＳオン抵抗に比例し、オン抵抗はチャネル長Ｌとチャネル幅Ｗの比Ｗ／Ｌに依存する。十分大きなＷ／Ｌを選択することで、電圧降下をダイオードの閾値電圧Ｖｆよりも十分小さくすることができる。
【０００７】
本願発明にかかる電源切り換え回路は、第１の電圧源と、第２の電圧源と、出力電圧が出力される出力ノードと、を有する。さらに、出力ノードと前記第１の電圧源との間に接続された第１のＭＯＳトランジスタと、前記出力ノードと前記第２の電圧源との間に接続された第２のＭＯＳトランジスタと、前記第１の電圧源の出力と前記第２の電圧源の出力とを比較し、前記第１及び第２のＭＯＳトランジスタを制御する信号を出力するコンパレータと、を有する。そして、コンパレータは、前記第１の電源の電圧が第２の電源の電圧より高い場合、前記第１のＭＯＳトランジスタをＯＮし前記第２のＭＯＳトランジスタをＯＦＦする信号を出力することを特徴とする。
【０００８】
また、本願発明にかかる電源切り換え回路は、第１または第２のＭＯＳトランジスタのチャネルサイズを調整することにより、出力電圧を調整することを特徴とする。
【０００９】
【発明の実施の形態】
以下、本発明の実施の形態を説明する。
【００１０】
図１は本発明の第一の実施の形態を示す回路図である。電圧Ｖａを出力する電圧源１と、電圧Ｖｂを出力する電圧源２と、電圧を比較するコンパレータ３と、電源を切り替えるＰ型ＭＯＳスイッチ５，６と、２つのＭＯＳスイッチに入力される論理を反転させるためのインバータ４から構成される。Ｐ型ＭＯＳスイッチ５，６のソースおよびバルクは出力ノード７に接続され、Ｐ型ＭＯＳスイッチ５のドレインは電圧源２に接続され、Ｐ型ＭＯＳスイッチ６のドレインは電圧源１に接続される。
【００１１】
Ｐ型ＭＯＳスイッチ５，６は、ゲートにＨｉｇｈ論理を受けてオン状態になり、Ｌｏｗ論理ではオフ状態になる。
【００１２】
Ｖａ＞Ｖｂの時、コンパレータ３の出力はＬｏｗ論理であり、ＭＯＳスイッチ６はオン状態となる。逆に、コンパレータ３の出力を受けて、インバータ４はＨｉｇｈ論理を出力し、ＭＯＳスイッチ５はオフ状態となる。以上のことから、出力電圧Ｖｏｕｔ＝Ｖａとなり、より高い電圧が出力される。
【００１３】
またＶａ＜Ｖｂの時は、Ｐ型ＭＯＳスイッチ５，６に入力される論理がＶａ＞Ｖｂの場合とは逆転し、ＭＯＳスイッチ５はオン状態、ＭＯＳスイッチ６はオフ状態となる。よって出力電圧Ｖｏｕｔ＝Ｖｂとなり、やはり高い電圧が選択されて出力される。
【００１４】
ＭＯＳスイッチのチャネルのサイズ比Ｗ／Ｌを十分大きくすることで、オン状態のＭＯＳスイッチによる電圧降下を無視できる程度まで小さくすることができる。
【００１５】
【発明の効果】
以上、説明したように本発明の電源切り替え回路によれば、異なる電圧を出力する、少なくとも２つの電圧源を持つ回路において、コンパレータによってより高い電源電圧を選択し、ＭＯＳスイッチを切り替えることによって、前記選択された電圧を出力することができる。また、出力電圧の電圧降下はＭＯＳスイッチのサイズ比を十分大きくとることで、無視できる程度に小さくすることができる。
【図面の簡単な説明】
【図１】本発明の第一の実施の形態を示す回路図
【図２】従来の回路図
【符号の説明】
１，２，１３，１４  電圧源
３  コンパレータ
４  インバータ
５，６  Ｐ型ＭＯＳトランジスタ
７，１７  出力ノード
１５，１６  ダイオード
【図１】
2005018514.tif 000003
【図２】
2005018514.tif 000004
(57)【要約】【課題】トリミング用画像の作成に於いて、端部の写り込みを見やすくし、トリミング残りを無くす為。【解決手段】縮小のため平均化圧縮する場合に、端部の圧縮率を下げ、原画との画素対応付けに於いて外周に寄った形で作成する。【選択図】        図１
2005018525.tif 000002
【特許請求の範囲】
【請求項１】
トリミング用画像表示において、表示画像を生成するために、詳細画像から縮小画像を作成する場合に、中央部分は平均化による縮小を行い、端部に関しては平均化する画素数を中央部に比べ減少させる事を特徴とする。
【請求項２】
トリミング用画像表示において、表示画像を生成するために、詳細画像から縮小画像を作成する場合に、平均化による縮小において、外周側に寄った形で対応付けを行うことを特徴とする。
【発明の詳細な説明】
【０００１】
【発明の属する技術分野】
画像の確認とトリミング指定を行うための、縮小表示画像作成に関するものである。
【０００２】
【従来の技術】
従来は、単純に詳細画像データーから、縮小する倍率に相当する画素データーを平均化することによって、縮小画像を作成して、表示していた。特許文献１参照。
【０００３】
例えば、０−１５の１６ドットの１行のデーターを例に説明する。
【０００４】
従来は、縮小画像の０番目は元画像０−３番目、縮小画像の１番目は元画像４−７番目、縮小画像の２番目は元画像８−１１番目、縮小画像の４番目は元画像１２−１５番目、の各画素データーを平均して生成していた。
【０００５】
その結果、例えば、元画像の０番目に縁が写り込んでいても、縮小画像の０番目への写り込み程度は１／４に薄まり判別が困難になっていた。
【０００６】
【特許文献１】
特開平０３−１８３０９１号公報
【０００７】
【発明が解決しようとする課題】
確認する画像に於いては、取得画像のズレにより端にフレーム枠が少し写り込んだり、画面端部に予定外の像が写り込むことがあった。
【０００８】
ところが、単純な平均化による縮小画像に於いては、この写り込みが、単に縮小されているばかりでなく、写り込み程度も平均化する事によって薄くなり、判別が困難であった。
【０００９】
この為、トリミングとして切り取りたいにもかかわらず、残してしまうことが多かった。
【００１０】
【課題を解決するための手段】
本発明は、平均化処理において、端部の被平均画素を減らし、また縮小画像を元画像の外周に寄った形で取得することにより、外周からの写り込み画像の程度を拡大して、正しくトリミングするための縮小画像を生成するようにした。
【００１１】
この方法は、斜め線が縮小画面内で１ドットずれるなどの欠点を有しているが、画像確認とトリミングを目的とした表示画像のため、欠点が問題になることはない。
【００１２】
例えば、先ほどの０−１５の１６ドットの１行のデーターを例に説明する。
【００１３】
本発明では、縮小画像の０番目は元画像０−１番目、縮小画像の１番目は元画像２−５番目、縮小画像の２番目は元画像１０−１３番目、縮小画像の４番目は元画像１４−１５番目、の各画素データーを平均して生成する。
【００１４】
その結果、例えば同じく、元画像の０番目に縁が写り込んでいても、縮小画像の０番目に写り込むのは１／２となり判別が容易になり、縮小画像の０番目相当をトリミングで除くことが容易になる。ここで元画像に対して０−３番目をトリミングして、余裕を持って周囲をトリミングする様にした。
【００１５】
即ち、画面のトリミングに於いては、画像の切り抜きとは異なり、余分な物を排除する目的なので、周囲方向の余分な写り込みを薄めず、排除不足を防ぐようにした。
【００１６】
【発明の実施の形態】
本発明では、縮小画像をプログラムで作成する例を通して、平均化処理の工夫と、インデックスの操作によって写り込みを検出しやすくする方法を示す。
【００１７】
（実施例）
図１は本発明の説明するために、１次元の画像データーを圧縮する装置である。
【００１８】
１は元画像のバッファー、２は圧縮するための処理装置、３は圧縮された表示用画像、４はトリミング用の指示装置、５はトリミング領域を元画像に対応させて、該当領域を６のバッファーに転送する部分である。
【００１９】
ここで１６画素の元データーを４画素の表示データーに圧縮する例で説明する。
【００２０】
図２は２で行う部分のフロー図で、１１の初期設定部分で画像バッファーの定義を行い、１４のループ部分で中間部の平均化圧縮を行う、ここで１２はそのループ処理の範囲設定、１３はループ処理の例外部分で、端部に寄った形で圧縮を行う目的のために元画像の中心部をスキップする為の処理である。１５は強調し、寄った形で圧縮する両端部の圧縮処理である。
【００２１】
４のトリミング指示は、表示した縮小画像に対してカーソルやマウスなどで指示を行い、表示の０番目画素をトリミングし、１番以降を転送する場合は、５の処理部分で、指示したインデックスの「１」に対して（例では４の）縮小倍率を乗算した（例では４の）インデックス以降について、１の元画像から６のバッファーへ転送を行い。逆に表示の４番目画素をトリミングし、３番以前までを転送する場合は、５の処理部分で、指示したインデックスの「３」に対して（例示では４の）縮小倍率を乗算した（例では１２の）インデックス以前（例では１１まで）について、１の元画像から６のバッファーへ転送を行う。この事により前述の様に指示したインデックスより縮小倍率の半分だけ内側にトリミングすることで、トリミング境界への画像端部からの影響を防ぐ様に構成している。
【００２２】
なお、本発明は説明を明確化するために全て１次元で説明しているが、実際は２次元の画像について実施される物である。
【００２３】
また、実施例はソフト的な縮小方法を例示しているが、ハードに寄って構成することによりより高速化されることは、公知のことなので省略している。
【００２４】
【発明の効果】
表示用の縮小画像を端部について縮小率（平均化数）を減らすことで、枠など端部からの異常画像を縮小画像中で判別し易くし、重ねて、表示用の縮小画像を端よりに縮小することで、判別した異常画素を正しくトリミング出来るように構成した。これらは縮小処理のソフトやハードで容易に実現できる事である。
【図面の簡単な説明】
【図１】本発明のブロック図
【図２】縮小処理のプログラム・フロー図
【符号の説明】
１  元画像
３  縮小表示用画像
４  トリミング指示装置
６  トリミング済画像
【図１】
2005018525.tif 000003
【図２】
2005018525.tif 000004